(57)【要約】【課題】制御装置への電源供給を停止すること無しに、外部装置を接続して安定的に電源供給することが可能な室外機及び空気調和機を提供する。【解決手段】室外機１０は、冷凍サイクルを構成する機器のうち室外に配置される室外機器と、単相交流の主電源ライン２１を有するとともに少なくとも揮発性のメモリを有した制御基板２０を有し、室外機器の動作を制御する制御装置１３と、室外機器及び制御装置１３を収容する筐体と、を備える。制御基板２０は、主電源ライン２１に副電源ライン２２を介して分岐接続された電源コネクタ２３と、副電源ライン２２に設けられて、主電源ライン２１と電源コネクタ２３とを電気的に接続及び切断可能な継電器２４と、を備える。【選択図】図２
2019196891.tif 000002
【特許請求の範囲】
【請求項１】
冷凍サイクルを構成する機器のうち室外に配置される室外機器と、
単相交流の主電源ラインを有するとともに少なくとも揮発性のメモリを有した制御基板を有し、前記室外機器の動作を制御する制御装置と、
前記室外機器及び前記制御装置を収容する筐体と、を備え、
前記制御基板は、
前記主電源ラインに副電源ラインを介して分岐接続された電源コネクタと、
前記副電源ラインに設けられて、前記主電源ラインと前記電源コネクタとを電気的に接続及び切断可能な継電器と、を備える室外機。
【請求項２】
前記電源コネクタは、
前記筐体の外部の電源ラインの端部に設けられた外部コネクタを挿抜可能に形成されている請求項１に記載の室外機。
【請求項３】
前記電源コネクタは、前記外部コネクタと同一の色表示がなされている請求項２に記載の室外機。
【請求項４】
前記電源コネクタの周囲に配置されて前記継電器の接点をオン・オフ操作可能な操作スイッチを備える請求項１から３の何れか一項に記載の室外機。
【請求項５】
前記操作スイッチの動作に連動して、前記操作スイッチがオフ操作されているときに前記電源コネクタを覆って開放不能な規制状態となり、前記操作スイッチがオン操作されているときに前記電源コネクタへ接触可能な解除状態となるカバー機構を備える請求項４に記載の室外機。
【請求項６】
前記筐体は、開閉可能な側壁パネルを備え、
前記制御基板は、前記側壁パネルが閉塞位置にある場合に前記側壁パネルと対向するように配置され、
前記電源コネクタは、
前記側壁パネルと対向する前記制御基板の面上に配置されている請求項１から５の何れか一項に記載の室外機。
【請求項７】
請求項１から６の何れか一項に記載の室外機を備える空気調和機。
【発明の詳細な説明】
【技術分野】
【０００１】
この発明は、室外機及び空気調和機に関する。
【背景技術】
【０００２】
室内機と室外機とを備える空気調和機においては、設置やメンテナンス等の作業を行う際に、室外機の周囲に電源が必要になることがある。このような場合、一般に、コードリール等を用いて遠方から電源を供給していた。しかし、コードリールを持ち運ぶ必要があるため作業者の負担が増加していた。
【０００３】
特許文献１には、室内機と室外機とを備える空気調和機において、室外機に電源用のコンセントを設ける技術が記載されている。この特許文献１の室外機では、冷媒中に含まれる空気等の不純成分の除去を真空引き方法により行うための真空ポンプをコンセントに接続している。この特許文献１では、室内機のスイッチ操作によって、電源の供給先を室外側の制御装置からコンセントに切り替えている。
【先行技術文献】
【特許文献】
【０００４】
【特許文献１】特開２０００−１４６２７０号公報
【発明の概要】
【発明が解決しようとする課題】
【０００５】
特許文献１に記載の空気調和機は、真空ポンプを作動させている際に室外側の制御装置に電源供給がなされない。そのため、制御装置の揮発性のメモリにエラー情報等を記憶させている場合、制御装置に電源供給がなされなくなるとエラー情報等の記憶情報が消えてしまうなどの不具合が生じるという課題がある。
【０００６】
また例えば、特許文献１の室外機において、制御装置への電源供給を維持したまま室外機に真空ポンプ等の機器を接続して作動させた場合、アーク放電等によるサージが発生して、このサージにより、揮発性のメモリがリセットされる等の不具合が生じる可能性がある。
【０００７】
さらに、特許文献１においては、室外機の内部に電源コンセントを設けている。しかし、室外機において、電源コンセントを設置するスペースを確保することが困難な場合が有る。
この発明は、上記事情に鑑みてなされたものであり、制御装置への電源供給を停止すること無しに、外部装置を接続して安定的に電源供給することが可能な室外機及び空気調和機を提供するものである。
【課題を解決するための手段】
【０００８】
上記の課題を解決するために以下の構成を採用する。
この発明の第一態様によれば、室外機は、冷凍サイクルを構成する機器のうち室外に配置される室外機器と、単相交流の主電源ラインを有した制御基板を有し、前記室外機器の動作を制御する制御装置と、前記室外機器及び前記制御装置を収容する筐体と、を備え、前記制御基板は、前記主電源ラインに副電源ラインを介して分岐接続された電源コネクタと、前記副電源ラインに設けられて、前記主電源ラインと前記電源コネクタとを電気的に接続及び切断可能な継電器と、を備えている。
第一態様では、主電源ラインと電源コネクタとの間の電気的な接続及び切断が可能な継電器を備えている。この継電器によって、電源コネクタに外部装置を接続する際に、制御基板上のメモリ等の他の装置類への電源供給を停止することなく、電源コネクタと主電源ラインとを電気的に切断することができる。そのため、揮発性のメモリ等の制御基板上の他の装置類への電源供給を停止する必要が無い。したがって、揮発性メモリ内に蓄積されているエラー情報等の記憶情報が消えてしまうなどの不具合が生じることを抑制できる。
さらに、電源コネクタと主電源ラインとが電気的に切断されているので、電源コネクタに外部装置を接続する際に、サージ等が発生して揮発性のメモリがリセットされる等の不具合が発生することを抑制できる。
また、第一態様では、制御基板に電源コネクタを備えるため、筐体にコンセント等を設けるスペースが無い場合であっても、制御基板の電源コネクタから外部装置に電源を供給することができる。
したがって、制御装置への電源供給を停止すること無しに、外部装置を接続して安定的に電源供給することが可能となる。
【０００９】
この発明の第二態様によれば、第一態様に係る電源コネクタは、前記筐体の外部の電源ラインの端部に設けられた外部コネクタを挿抜可能に形成されていてもよい。
このように構成することで、容易に外部コネクタを電源コネクタに接続することができるとともに、外部の電源ラインを誤接続することを抑制できる。
【００１０】
この発明の第三態様によれば、第二態様に係る電源コネクタは、前記外部コネクタと同一の色表示がなされていてもよい。
このように構成することで、外部コネクタの色表示を見た作業者が、外部コネクタを挿抜する電源コネクタの位置を容易に見つけることができる。
【００１１】
この発明の第四態様によれば、第一から第三態様の何れか一つの態様に係る室外機において、前記電源コネクタの周囲に配置されて前記継電器の接点をオン・オフ操作可能な操作スイッチを備えていてもよい。
このように構成することで、電源コネクタに外部コネクタを接続する際に、電源コネクタの周囲に配置された操作スイッチを操作すればよいので、電源コネクタから離れた場所に操作スイッチが配置される場合と比較して、容易に継電器の接点をオン・オフすることができるとともに、作業者が操作スイッチを操作することを失念してしまうことを抑制できる。
【００１２】
この発明の第五態様によれば、第四態様に係る室外機において、前記操作スイッチの動作に連動して、前記操作スイッチがオフ操作されているときに前記電源コネクタを覆って開放不能な規制状態となり、前記操作スイッチがオン操作されているときに前記電源コネクタへ接触可能な解除状態となるカバー機構を備えていてもよい。
このように構成することで、継電器の接点がオンのときに、誤って外部コネクタを電源コネクタに接続することを抑制できる。
【００１３】
この発明の第六態様によれば、第一から第五態様の何れか一つの態様に係る筐体は、開閉可能な側壁パネルを備えていてもよい。さらに、前記制御基板は、前記側壁パネルが閉塞位置にある場合に前記側壁パネルと対向するように配置されていてもよい。前記電源コネクタは、前記側壁パネルと対向する前記制御基板の面上に配置されていてもよい。
このように構成することで、側壁パネルを外すだけで、制御基板の電源コネクタにアクセスすることができる。そのため、短時間で室外機から外部装置へ電源供給を開始することが可能となる。
【００１４】
この発明の第七態様によれば、空気調和機は、第一から第六態様の何れか一つの態様に係る室外機を備える。
このように構成することで、室外機のメンテナンス等の作業を容易に行うことができるため、商品性を向上することができる。
【発明の効果】
【００１５】
上記室外機によれば、制御装置への電源供給を停止すること無しに、外部装置を接続して安定的に電源供給することが可能になる。
【図面の簡単な説明】
【００１６】
【図１】この発明の第一実施形態における空気調和機の概略構成を示す構成図である。
【図２】この発明の第一実施形態における室外機の概略構成を示す回路図である。
【図３】この発明の第二実施形態における電源コネクタ周辺の拡大図である。
【図４】この発明の第三実施形態における電源コネクタが非通電状態の制御基板の概略構成図である。
【図５】第三実施形態における電源コネクタが通電状態の制御基板の概略構成図である。
【発明を実施するための形態】
【００１７】
次に、この発明の実施形態における室外機及び空気調和機を図面に基づき説明する。
【００１８】
（第一実施形態）
図１は、この発明の第一実施形態における空気調和機の概略構成を示す構成図である。
図１に示すように、空気調和機１００は、室外機１０と室内機（図示せず）とを備えている。この第一実施形態の空気調和機１００は、いわゆるビル用の空気調和機である。空気調和機１００は、室外機１０と室内機（図示せず）との間で冷媒を循環させて、冷房運転と暖房運転とをそれぞれ行うことが可能となっている。
【００１９】
室外機１０は、ビルの屋上等の屋外（言い換えれば、室外）に設置され、冷媒配管等を介して室内機（図示せず）に接続されている。室外機１０は、筐体１１と、室外機器１２と、制御装置１３と、を備えている。
【００２０】
筐体１１は、室外機器１２及び制御装置１３を収容している。この実施形態で例示する筐体１１は、外形が直方体をなす箱状に形成されている。筐体１１は、上部に熱交室１４を備え、下部に機械室１５を備えている。熱交室１４は、内部に室外機器１２を収容し、機械室１５は、内部に制御装置１３を収容している。
【００２１】
熱交室１４は、側壁１６に側壁開口１７を備えている、熱交室１４は、天井部１８にファンＦ用の複数のファン開口１８ａを備えている。熱交室１４は、側壁開口１７とファン開口１８ａとの間で外気が流通可能となっている。
【００２２】
機械室１５は、複数の側壁パネル１９を備えている。これら側壁パネル１９は、それぞれ矩形板状に形成され、ビス等の留め具によって機械室１５のフレーム（図示せず）に着脱可能とされている。
【００２３】
図２は、この発明の第一実施形態における室外機の概略構成を示す回路図である。
図１、図２に示すように、室外機器１２は、空気調和機１００の冷凍サイクルを構成する機器のうち、室外に配置される機器である。室外機器１２としては、熱交換器（図示せず）やコンプレッサ（図示せず）、ファンＦ等を例示できる。これら室外機器１２は、熱交室１４に収容されている。熱交換器（図示せず）は、冷房運転時には凝縮器として機能し、暖房運転時には蒸発器として機能する。
【００２４】
コンプレッサ（図示せず）は、モータＭにより駆動する。コンプレッサを駆動するモータＭは、インバータＩＮＶにより回転数が制御される。このインバータＩＮＶには、三相交流（例えば、ＡＣ２００Ｖ）が供給されている。この三相交流は、室外機１０に電源として外部から供給されている。なお、室外機１０に供給される三相交流は、室内機から供給するようにしても良い。
【００２５】
制御装置１３は、室外機器１２の動作を主に制御する。制御装置１３は、スイッチング（ＳＷ）電源Ｐ、ＣＰＵ（Central Processing Unit）等の処理装置（図示せず）、揮発性のメモリ、及び不揮発性のメモリ等が実装された制御基板２０を備えている。
【００２６】
制御基板２０は、いわゆるリジット基板であり、単相交流の主電源ライン２１と、副電源ライン２２と、電源コネクタ２３と、継電器２４と、を更に有している。主電源ライン２１は、室外機１０に供給された三相交流から、単相交流を取り出している。主電源ライン２１は、制御基板２０の内部に設けられたＡＣ／ＤＣコンバータ等のスイッチング電源Ｐの一次側端子に単相交流（例えば、ＡＣ２００Ｖ）を供給している。このスイッチング電源Ｐにより変換された直流電源（例えば、ＤＣ５Ｖ）は、上述した制御基板２０に実装された処理装置や各種メモリ等の電源として供給されている。
【００２７】
制御装置１３は、室外機器１２の動作等に不具合が発生した場合、発生した不具合に関するエラー情報を、制御基板２０上の揮発性のメモリに蓄積する。この揮発性メモリに蓄積された情報は、制御装置１３に実装された通信インターフェース（図示せず）を介して、ＰＣ（personal computer）に取り込むことが可能となっている。例えば、制御装置１３には、無線ＬＡＮ（Local Area Network）等の無線通信用のモジュールを実装して、制御装置１３の揮発性メモリに蓄積されたエラー情報を、無線通信を介して取り出せるようにしても良い。
【００２８】
副電源ライン２２は、主電源ライン２１から分岐して、電源コネクタ２３に三相交流を供給する。副電源ライン２２は、例えば、絶縁体からなる基板上にプリント配線として形成することができる。
【００２９】
電源コネクタ２３は、メンテナンス等の作業を行うために搬入されたＰＣ（personal computer）やオシロスコープ等の外部装置Ｍ１，Ｍ２に電源供給可能なコネクタである。電源コネクタ２３は、主電源ライン２１に副電源ライン２２を介して分岐接続されている。この実施形態における電源コネクタ２３は、家庭用のコンセントとは異なる専用のコネクタである。この実施形態で例示する電源コネクタ２３は、更に、電源タップや電源コードの電線（電源ライン）Ｌ１の端部に設けられた外部コネクタ２５を接続可能になっている。この実施形態で例示する電源コネクタ２３は、いわゆる雌コネクタであり、外部コネクタが雄コネクタである場合を例示している。しかし、電源コネクタ２３が雄コネクタであり、外部コネクタが雌コネクタであっても良い。
【００３０】
制御基板２０は、機械室１５が複数の側壁パネル１９により閉塞されている状態で、複数の側壁パネル１９のうちの一つの所定の側壁パネル１９Ａと対向するように配置されている。電源コネクタ２３は、所定の側壁パネル１９Ａと対向する制御基板２０の実装面上に配置されている。つまり、所定の側壁パネル１９Ａを取り外すことで、この側壁パネル１９Ａを外したことで形成される機械室１５の開口から、制御基板２０上の電源コネクタ２３に容易にアクセス可能となる。なお、側壁パネル１９Ａは、ヒンジを介してフレームに揺動可能に支持させるようにしても良い。
【００３１】
ここで、上述した電源コネクタ２３と、外部コネクタ２５とは、それぞれ同一の色表示（例えば、赤色等）がなされている。つまり、作業者は、外部コネクタ２５の色表示を見て、制御基板２０上に同一の色表示を探すことで、外部コネクタ２５を接続可能な電源コネクタ２３を見つけることができるようになっている。
【００３２】
この実施形態における電源コネクタ２３は、制御基板２０の実装面に沿って外部コネクタ２５を挿抜可能になっている。これにより、電線Ｌ１が引っ張られる方向と外部コネクタ２５の挿抜する方向とを異ならせることができる。そのため、外部コネクタ２５が設けられた電線Ｌ１が、仮に引っ張られたとしても、外部コネクタ２５が電源コネクタ２３から抜け難くすることができる。
【００３３】
継電器２４は、副電源ライン２２に設けられている。より具体的には、継電器２４は、副電源ライン２２の途中に設けられている。継電器２４は、主電源ライン２１と電源コネクタ２３との電気的な接続及び切断を可能としている。この実施形態における継電器２４は、いわゆるメカニカルリレーであって、上述したスイッチング電源の二次側の直流出力を用いて、接点をオン・オフに切り替え可能となっている。この実施形態の継電器２４は、操作スイッチＳＷに接続されている。
【００３４】
操作スイッチＳＷは、継電器２４のコイル（図示せず）に電圧を印加する第一位置と、コイルに電圧を印加しない第二位置とを、作業者の操作によって選択可能であるとともに、選択した状態を保持可能になっている。なお、上述した実施形態の継電器２４として、メカニカルリレーを用いる場合を例示したが、半導体等を用いた無接点リレーを用いても良い。また、継電器２４の接点として、電圧印加により接点が閉じるａ接点の場合を一例に説明した。しかし、継電器２４の接点は、ａ接点に限られない。
【００３５】
上述した操作スイッチＳＷを第一位置（印加する）から第二位置（印加しない）にすることで、継電器２４の接点を閉じた状態から開いた状態にすることができる。そのため、電源コネクタ２３を非通電状態にすることができる。その一方で、操作スイッチを第二位置から第一位置に操作することで、継電器２４の接点を、開いた状態から閉じた状態にすることができる。そのため、電源コネクタ２３を通電状態にすることができる。なお、図２中、符号「ｔ１」は、端子台である。
【００３６】
上述した第一実施形態によれば、主電源ライン２１と電源コネクタ２３との間の電気的な接続及び切断が可能な継電器２４を備えている。この継電器２４によって、電源コネクタ２３に外部装置Ｍ１，Ｍ２を接続する際に、制御基板２０上のメモリ等の他の装置類への電源供給を停止することなく、電源コネクタ２３と主電源ライン２１とを電気的に切断することができる。そのため、揮発性のメモリ等の制御基板２０上の他の装置類への電源供給を停止する必要が無い。したがって、揮発性のメモリ内に蓄積されているエラー情報等の記憶情報が消えてしまうなどの不具合が生じることを抑制できる。
【００３７】
さらに、電源コネクタ２３と主電源ライン２１とが電気的に切断されているので、電源コネクタ２３に外部装置Ｍ１，Ｍ２を接続する際に、サージ等が発生して揮発性のメモリがリセットされる等の不具合が発生することを抑制できる。
【００３８】
また、第一実施形態では、電源コネクタ２３に対して外部コネクタ２５を挿抜可能とされている。また、電源コネクタ２３は、家庭用のコンセントとは異なる形状とされている。そのため、容易に外部コネクタを電源コネクタに接続することができるとともに、外部の電源ラインを誤接続することを抑制できる。
【００３９】
さらに、第一実施形態では、電源コネクタ２３は、外部コネクタ２５と同一の色表示がなされている。そのため、外部コネクタ２５の色表示を見た作業者が、外部コネクタ２５を挿抜可能な電源コネクタ２３の位置を容易に見つけることができる。
【００４０】
また、第一実施形態では、継電器２４の接点を操作スイッチによって開閉することが可能となっている。そのため、容易に継電器２４の接点をオン・オフ操作することができる。
【００４１】
さらに、第一実施形態では、制御基板２０は、所定の側壁パネル１９が閉塞位置にある場合に所定の側壁パネル１９と対向するように配置されている。電源コネクタ２３は、所定の側壁パネル１９と対向する制御基板２０の実装面上に配置されている。したがって、所定の側壁パネル１９を外すだけで、制御基板２０の電源コネクタ２３にアクセスすることができる。そのため、短時間で室外機１０から外部装置Ｍ１，Ｍ２へ電源供給を開始することが可能となる。
また、第一実施形態では、上記室外機を備えることで、室外機１０のメンテナンス等の作業を容易に行うことができる。したがって、空気調和機１００の商品性を向上することが可能になる。
【００４２】
（第二実施形態）
次に、この発明の第二実施形態を図面に基づき説明する。この第二実施形態の室外機は、上述した第一実施形態の室外機に対して、操作スイッチの配置が異なるだけである。そのため、上述した第一実施形態と同一部分に同一符号を付して説明するとともに、重複する説明を省略する。
【００４３】
図３は、この発明の第二実施形態における電源コネクタ周辺の拡大図である。
図３に示すように、この第二実施形態における室外機２１０は、上述した第一実施形態の制御基板２０と同様に、スイッチング電源Ｐ、ＣＰＵ等の処理装置（図示せず）、揮発性のメモリ、及び不揮発性のメモリ等が実装された制御基板２２０を筐体１１の機械室１５の中に備えている。
【００４４】
制御基板２２０は、主電源ライン２１（図３において図示せず）と、副電源ライン２２と、電源コネクタ２３と、継電器２４と、操作スイッチＳＷ２と、を更に備えている。制御基板２２０は、第一実施形態の制御基板２０と同様に、閉塞状態の側壁パネル１９Ａと対向するように配置されている。電源コネクタ２３は、所定の側壁パネル１９Ａと対向する制御基板２２０の実装面上に配置されている。
【００４５】
操作スイッチＳＷ２は、第一実施形態の操作スイッチＳＷと同様に、継電器２４のコイル（図示せず）に電圧を印加する第一位置と、コイルに電圧を印加しない第二位置とを、作業者の操作によって選択可能であるとともに、選択した状態を保持可能になっている。この操作スイッチＳＷ２は、電源コネクタ２３の周囲に配置されている。より具体的には、操作スイッチＳＷ２は、電源コネクタ２３近傍の制御基板２２０の実装面上に配置されている。なお、操作スイッチＳＷ２がスライドスイッチの場合を例示しているが、操作スイッチＳＷ２は、スライドスイッチに限られない。
【００４６】
上述した操作スイッチＳＷ２を第一位置（印加する：ＯＮ）から第二位置（印加しない：ＯＦＦ）に操作することで、継電器２４の接点を閉じた状態（オフ）から開いた状態（オン）にすることができる。その一方で、操作スイッチＳＷ２を第二位置から第一位置に操作することで、継電器２４の接点を、開いた状態（オン）から閉じた状態（オフ）にすることができる。
【００４７】
したがって、上述した第二実施形態によれば、電源コネクタ２３に外部コネクタ２５を接続する際に、電源コネクタ２３の周囲に配置された操作スイッチＳＷ２を操作すればよいので、電源コネクタ２３から離れた場所に操作スイッチが配置される場合と比較して、容易に継電器２４の接点をオン・オフすることができる。さらに、継電器２４の周囲に操作スイッチＳＷ２が配置されていることで、作業者が操作スイッチＳＷ２の操作を失念することを抑制できる。
【００４８】
（第三実施形態）
次に、この発明の第三実施形態を図面に基づき説明する。この第三実施形態の室外機は、上述した第一実施形態の室外機に対して、電源コネクタ周りの構成が異なるだけである。そのため、上述した第一実施形態と同一部分に同一符号を付して説明するとともに、重複する説明を省略する。
図４は、この発明の第三実施形態における電源コネクタが非通電状態の制御基板の概略構成図である。図５は、第三実施形態における電源コネクタが通電状態の制御基板の概略構成図である。
【００４９】
図４、図５に示すように、この第三実施形態における室外機３１０の制御基板３２０は、上述した第一実施形態の制御基板２０と同様に、スイッチング電源Ｐ、ＣＰＵ等の処理装置（図示せず）、揮発性のメモリ、及び不揮発性のメモリ等が実装された制御基板３２０を筐体１１の機械室１５の中に備えている。
【００５０】
制御基板３２０は、主電源ライン２１と、副電源ライン２２と、電源コネクタ２３と、継電器２４と、操作スイッチＳＷと、を更に備えている。制御基板３２０は、第一実施形態の制御基板２０と同様に、閉塞状態の側壁パネル１９Ａと対向するように配置されている。電源コネクタ２３は、所定の側壁パネル１９Ａと対向する制御基板３２０の実装面上に配置されている。
【００５１】
制御基板３２０は、更に、カバー機構３０を備えている。カバー機構３０は、操作スイッチＳＷの動作に連動する。カバー機構３０は、操作スイッチＳＷがオフ操作されているときに電源コネクタ２３へのアクセスを規制する規制状態となる。より具体的には、カバー機構３０は、操作スイッチＳＷがオフ操作されているときに電源コネクタ２３を覆って開放不能な状態にする。その一方で、カバー機構３０は、操作スイッチＳＷがオン操作されているときに電源コネクタ２３へアクセス可能な状態となる。つまり、カバー機構３０は、開放可能な状態になる。
【００５２】
この第三実施形態で例示するカバー機構３０は、ロック部３１と、支持部３２と、カバー部３３と、を備えている。ロック部３１と、支持部３２とは、それぞれ電源コネクタ２３を挟んで対向するように配置されている。
【００５３】
カバー部３３は、支持部３２の上端部にヒンジを介して揺動可能に支持されている。カバー部３３は、電源コネクタ２３へのアクセスを規制する閉塞位置（図５参照）から電源コネクタ２３にアクセス可能な開放位置（図４参照）まで揺動可能とされている。カバー部３３は、平板状に形成され、閉塞位置のときに、支持部３２の上端部とロック部３１の上端部との間に渡るように配置される。カバー部３３は、図示しないコイルばね等により、閉塞位置に向けて付勢されている。この第三実施形態では、カバー部３３は、閉塞位置から電源コネクタ２３に近づく方向に揺動して開放位置に至る場合を例示している。
【００５４】
ロック部３１は、操作スイッチＳＷがオン操作されているときに、カバー部３３を閉塞位置から変位しないようにロックする。この実施形態におけるロック部３１は、操作スイッチＳＷの状態を示す信号に基づいて、カバー部３３の揺動をロック及びロック解除する。ロック部３１は、操作スイッチＳＷの状態を示す信号に基づいてカバー部３３の揺動をロック及びロック解除を行う構成に限られない。電源コネクタ２３に通電されているときにロック解除できればよく、例えば、継電器２４と電源コネクタ２３との間の二本の副電源ライン２２の線間電圧を検出して、線間電圧が予め設定された閾値以下である場合にカバー部３３の揺動をロック解除するようにしても良い。
【００５５】
したがって、第三実施形態によれば、継電器２４の接点がオンのときに、カバー部３３が閉塞位置でロックされるため、操作スイッチＳＷにより継電器２４の接点をオフにするのを失念して、電源コネクタ２３に通電された状態で誤って外部コネクタ２５を電源コネクタ２３に接続することを抑制できる。
【００５６】
この発明は上述した各実施形態の構成に限られるものではなく、その要旨を逸脱しない範囲で設計変更可能である。
例えば、上述した各実施形態では、副電源ライン２２の二本の配線のうち一方の配線の途中に継電器２４を設けて一方の配線のみを接続・切断する場合について説明した。しかし、副電源ライン２２の二本の配線の途中にそれぞれ継電器２４を設けて、副電源ライン２２の二本の配線を同時に継電器２４によって接続・切断するようにしてもよい。
【００５７】
また、上述した各実施形態では、三相交流から単相交流を取り出して制御基板２０，２２０，３２０や電源コネクタ２３に電源供給する場合について説明した。しかし、主電源ライン２１によって制御基板２０，２２０，３２０に供給される単相交流や、副電源ライン２２によって電源コネクタ２３に供給される単相交流は、例えば、三相交流からスコット変圧器を用いて変換するなど、他の供給方法を採用してもよい。
【００５８】
さらに、第三実施形態では、電源コネクタ２３から離れた位置に操作スイッチＳＷが配置される場合を例示したが、第三実施形態に第二実施形態の操作スイッチＳＷ２を組み合わせて用いても良い。このように構成する場合、第二実施形態の操作スイッチＳＷ２は、第三実施形態のカバー機構３０のロック部３１や支持部３２と一体に形成しても良い。
【符号の説明】
【００５９】
１０  室外機
１１  筐体
１２  室外機器
１３  制御装置
１４  熱交室
１５  機械室
１６  側壁
１７  側壁開口
１８  天井部
１９  側壁パネル
２０，２２０，３２０  制御基板
２１  主電源ライン
２２  副電源ライン
２３  電源コネクタ
２４  継電器
２５  外部コネクタ
３０  カバー機構
３１  ロック部
３２  支持部
３３  カバー部
１００  空気調和機
Ｆ  ファン
ＳＷ，ＳＷ２  操作スイッチ
Ｍ１，Ｍ２  外部装置
【図１】
2019196891.tif 000003
【図２】
2019196891.tif 000004
【図３】
2019196891.tif 000005
【図４】
2019196891.tif 000006
【図５】
2019196891.tif 000007